(57)【要約】【課題】保管用ディスクと配布用ディスクの両方を任意に作成する。【解決手段】デジタルカメラ５では、被写体像を対物レンズ２１を介して撮像素子であるＣＣＤ２２で撮像する。ＣＣＤ２２からの撮像信号はＣＣＤ  Ｉ／Ｆ２３を介してデジタル信号に変換され、画像データとしてモード実行手段であるカメラ制御用システムコントローラ２４に入力される。カメラ制御用システムコントローラ２４には、ＲＯＭ２５、ＲＡＭ２６、メモリカードスロット２７、液晶モニタ駆動回路２８、モード選択手段としてのカメラ操作スイッチ２９及びＵＳＢデバイスコントローラ３０が接続されている。【選択図】図２
2007116466.tif 000002
【特許請求の範囲】
【請求項１】
データを入力するデータ入力手段を有する携帯可能な携帯型情報入力装置と、
前記携帯型情報入力装置が入力した前記データを、パーソナルコンピュータを使用せずに可換型記録媒体に保存できる情報記録装置と
を有し、
前記可換型記録媒体への前記データの保存後の用途に応じた用途モードを選択するモード選択手段と、
前記可換型記録媒体に対して前記用途モードに応じた処理動作を自動的に実行するモード実行手段と
を備えたことを特徴とする情報記録システム。
【請求項２】
前記モード実行手段は、前記可換型記録媒体の保存後の用途モードが、保管用の用途モードか、配布用の用途モードかによって異なる処理動作を自動的に前記可換型記録媒体に対して実行する
ことを特徴とする請求項１に記載の情報記録システム。
【請求項３】
前記モード実行手段は、前記配布用の用途モードの場合、前記可換型記録媒体に対してデータ保存後に互換性の高いフォーマットヘの変換処理を自動で行う
ことを特徴とする請求項２に記載の情報記録システム。
【請求項４】
前記モード実行手段は、前記配布用の用途モードの場合、
前記携帯型情報入力装置内のすべてのデータ、あるいは選択されたデータを前記可換型記録媒体に保存し、連続して前記配布用の用途モードで前記可換型記録媒体に続けてデータを記録する場合、選択しなおさなければ前回と同じデータを保存する
ことを特徴とする請求項２に記載の情報記録システム。
【請求項５】
前記モード実行手段は、前記保管用の用途モードの場合、記録しようとしている前記可換型記録媒体に保存されていないデータ、あるいは前記携帯型情報入力装置内のデータで一度も前記可換型記録媒体に保存されていないデータ、のみを前記可換型記録媒体に保存する
ことを特徴とする請求項２に記載の情報記録システム。
【請求項６】
前記可換型記録媒体は、記録型ＣＤ、記録型ＤＶＤ、または青色レーザを用いた高密度記録用ディスクである
ことを特徴とする請求項１に記載の情報記録システム。
【請求項７】
前記携帯型情報入力装置は画像撮影装置であり、
前記モード実行手段は、前記用途モードとして保存モードを選択することにより、そのままの形式での画像データの保存と、Ｖｉｄｅｏ再生装置で再生できる形式に変換した画像データの保存、のどちらか／あるいは両方を自動で行う
ことを特徴とする請求項１に記載の情報記録システム。
【請求項８】
前記モード選択手段は、前記携帯型情報入力装置のユーザインターフェースである
ことを特徴とする請求項１に記載の情報記録システム。
【請求項９】
前記モード実行手段は、前記可換型記録媒体に情報を記録する際に、前記可換型記録媒体内にあるデータに関するデータベースを、パーソナルコンピュータから使用できる形式で自動的に作成する
ことを特徴とする請求項１に記載の情報記録システム。
【請求項１０】
前記モード実行手段は、前記用途モードに応じて、使用できる前記可換型記録媒体の種類の制限を変更する
ことを特徴とする請求項１に記載の情報記録システム。
【請求項１１】
前記携帯型情報入力装置は、データを格納するメモリカードを有し、
前記モード実行手段が前記携帯型情報入力装置の情報を前記可換型記録媒体に保存する際に、前記メモリカードを前記携帯型情報入力装置から取り出して、前記情報記録装置に前記メモリカードをセットする
ことを特徴とする請求項１に記載の情報記録システム。
【請求項１２】
前記モード実行手段は、前記情報記録装置内の前記可換型記録媒体から読み出したデータを前記携帯型情報入力装置に一旦保存し、前記情報記録装置内の同じ前記可換型記録媒体、あるいは別の前記可換型記録媒体に保存する
ことを特徴とする請求項１に記載の情報記録システム。
【発明の詳細な説明】
【技術分野】
【０００１】
本発明は、デジタルカメラ等の携帯型情報入力装置と、情報を可換型記録媒体に記録する情報記録装置とからなる情報記録システムに関する。
【背景技術】
【０００２】
例えば特開平１１−２２０６９１号公報に示されているとおり、デジタルカメラとストレージ装置を接続したシステムが提案されている。このようなシステムではパーソナルコンピュータを使用せずにデジタルカメラのデータを自動、あるいは半自動でストレージ装置へ保存することができる。ストレージ装置としては、半導体メモリやハードディスクドライブのような非可換媒体もあるが、記録型ＣＤ、記録型ＤＶＤ、ＭＯなどの可換媒体に置き換えることも可能である。
【０００３】
デジタルカメラ等の携帯型情報入力装置のデータをストレージ装置に保存する目的は、一般的にデータの保管であるが、可換媒体を使用するストレージ装置の場合は、デジタルカメラからストレージ装置内の可換媒体にデータをコピーしそれを配布するという用途も考えられる。
【０００４】
しかし、広く使われている可換媒体である記録型ＣＤや記録型ＤＶＤは、フォーマットやライティングソフトウェアの互換性の問題があり、保存したそのままの状態で配布しても受領した側でデータを読み出せない可能性が高い。
【０００５】
これを解決するためには多くのパーソナルコンピュータ用のＯＳで読めるようにＣＤ−ＲＯＭやＤＶＤ−ＲＯＭと互換が高いフォーマットヘの変換処理（ＲＯＭ互換処理）を行なうことが有効である。
【０００６】
ところが、ＲＯＭ互換処理のためにはパーソナルコンピュータ上のアプリケーションを使用することが一般的で、独立したシステムで行なえるものはほとんどない。
【０００７】
例えば特開２００３−１０１９２６号公報に示されているように、デジタルビデオ装置で、記録型ディスクを内部に入れて直接記録する装置では、取り出した後の再生互換を取るためにファイナライズ処理ができるものが発表されている。
【特許文献１】特開平１１−２２０６９１号公報
【特許文献２】特開２００３−１０１９２６号公報
【発明の開示】
【発明が解決しようとする課題】
【０００８】
しかしながら、従来技術では、以下のような欠点があった。
【０００９】
１）新規に撮影したデータがあれば追記していく保管用のディスクを作成する用途にしか使用出来ないシステムであるか、取り出した後の他の装置と再生互換を取れるような装置であっても直接記録したディスクの互換性を高める手段のみをもつシステムであり、複数の相手に対して配布できるような同じディスクを複数作成できるシステムではない。
【００１０】
２）また、一つのシステムで上に記載したような保管用ディスクと配布用のディスクの両方を任意に作成することができるシステムが存在しなかった。さらに、保管用ディスク作成の場合と配布用ディスク作成の場合で、どのデータを保存するかを適切に切替えるようになっていない。
【００１１】
本発明は、上述した点に鑑みてなされたもので、保管用ディスクと配布用ディスクの両方を任意に作成することのできる情報記録システムを提供することを目的としている。
【課題を解決するための手段】
【００１２】
本発明の情報記録システムは、
データを入力するデータ入力手段を有する携帯可能な携帯型情報入力装置と、
前記携帯型情報入力装置が入力した前記データを、パーソナルコンピュータを使用せずに可換型記録媒体に保存できる情報記録装置と
を有し、
前記可換型記録媒体への前記データの保存後の用途に応じた用途モードを選択するモード選択手段と、
前記可換型記録媒体に対して前記用途モードに応じた処理動作を自動的に実行するモード実行手段と
を備えて構成される。
【発明の効果】
【００１３】
本発明によれば、保管用ディスクと配布用ディスクの両方を任意に作成することができるという効果がある。
【発明を実施するための最良の形態】
【００１４】
以下、図面を参照しながら本発明の実施例について述べる。
【実施例１】
【００１５】
図１ないし図６は本発明の実施例１に係わり、図１は情報記録システムの外観を示す外観図、図２は図１の情報記録システムの構成を示すブロック図、図３は図２のデジタルカメラの液晶モニタに表示される選択画面の一例を示す図、図４は配布用の記録メディアを作成する際の図２のカメラ制御用システムコントローラの処理の流れを示すフローチャート、図５は配布用の記録メディアを作成する際に図２のデジタルカメラの液晶モニタに表示されるメニュー画面の一例を示す図、図６は図２のデジタルカメラの液晶モニタに表示される選択画面の変形例を示す図である。
【００１６】
本実施例の情報記録システム１は、図１に示すように、情報記録装置であるストレージ２の上に接続手段としてのクレードル４を介して携帯型情報入力装置としてのデジタルカメラ５が接続され、データのやり取りが行なえる構成となっている。
【００１７】
ストレージ２には、例えば記録型ＤＶＤ装置ドライブまたは記録型ＣＤ装置であるメディアドライブ６が内蔵されている。メディアドライブ６は、可換型記録媒体である記録型／読取専用のＤＶＤまたはＣＤディスクの記録メディア７をセットして、データの記録・読み出しができる。
【００１８】
記録メディア７は、静止画（例えば、ＪＰＧ、ＴＩＦＦ、ＢＭＰ、ＲＡＷなど）、動画（例えば、ＭＰＥＧ１、ＭＰＥＧ２、ＭＰＥＧ４、ＭｏｔｉｏｎＪＰＧなど）以外に、音声、メタデータ、パーソナルコンピュータ（以下ＰＣ）で作成したデータ等も記録・読み出しすることが可能である。
【００１９】
詳細には、図２に示すように、デジタルカメラ５では、被写体像を対物レンズ２１を介して撮像素子であるＣＣＤ２２で撮像する。ＣＣＤ２２からの撮像信号はＣＣＤ  Ｉ／Ｆ（インターフェイス）２３を介してデジタル信号に変換され、画像データとしてモード実行手段であるカメラ制御用システムコントローラ２４に入力される。
【００２０】
カメラ制御用システムコントローラ２４には、ＲＯＭ２５、ＲＡＭ２６、メモリカードスロット２７、液晶モニタ駆動回路２８、モード選択手段としてのカメラ操作スイッチ２９及びＵＳＢデバイスコントローラ３０が接続されている。
【００２１】
そして、カメラ制御用システムコントローラ２４は、ＲＡＭ２６を作業領域として使用し、ＲＯＭ２５に格納されているプログラムに従って、カメラ操作スイッチ２９のシャッタスイッチ（図示せず）の操作をトリガ信号としてＣＣＤ  Ｉ／Ｆ２３を制御し、ＣＣＤ２２にて被写体を撮像すると共に、信号処理した被写体の画像を液晶モニタ駆動回路２８を制御することで液晶モニタ３１に表示する。また、信号処理した被写体の画像は、メモリカードスロット２７に接続されるメモリカード３２に画像データとして格納される。さらに、ＵＳＢデバイスコントローラ３０を介して信号処理した被写体の画像をストレージ２にダウンロードすることができる。
【００２２】
また、カメラ制御用システムコントローラ２４は、複数の制御モードを有しており、液晶モニタ３１に制御項目を表示し、カメラ操作スイッチ２９でこれら制御項目を選択することで、各種の処理が行えるようになっている。
【００２３】
そして、デジタルカメラ５とストレージ２とは、クレードル４のコネクタ３５を介して接続され、データの送受が可能となっている。
【００２４】
また、ストレージ２は、記録型ＤＶＤまたは記録型ＣＤディスクである記録メディア７を着脱可能にメディアドライブ６に装填でき、このメディアドライブ６は装填部駆動モータ４３により駆動される。
【００２５】
ストレージ２では、メディアドライブ６に装填された記録メディア７をスピンドルモータ４４により回転駆動するようになっている。そして、回転駆動された記録メディア７に対して、記録メディア７の径方向に進退移動可能な光学ヘッド４５により光学的にセクタにデータを記録／再生することが可能となっており、光学ヘッド４５はリニアモータ４６により記録メディア７の径方向に進退駆動される。
【００２６】
また、これらの装填部駆動モータ４３、スピンドルモータ４４及びリニアモータ４６は、モータ駆動回路４７により駆動制御される。
【００２７】
光学ヘッド４５は、記録／再生回路４８により駆動され、さらに記録／再生回路４８は信号処理回路４９により制御される。そして、モータ駆動回路４７及び信号処理回路４９は、ストレージ制御用システムコントローラ５０にて制御される。
【００２８】
このストレージ制御用システムコントローラ５０には、この他に、ＲＯＭ５１、ＲＡＭ５２、ＵＳＢホストコントローラ５３、ＵＳＢデバイスコントローラ５４及び切替スイッチ５５が接続されている。
【００２９】
そして、ストレージ制御用システムコントローラ５０は、ＵＳＢホストコントローラ５３を介してクレードル４のコネクタ３５に接続されたＵＳＢデバイスコントローラ３０からデータをアップロードすると共にＵＳＢデバイスコントローラ５４を介して図示しないＰＣにデータをＰＣコネクタ５６を介してダウンロードできるようになっている。
【００３０】
なお、この情報記録システム１には、図示はしないが、さらにプリンタを接続して、デジタルカメラ５内のデータやディスク上のデータをプリンタに出力することも可能であるし、プロジェクタやテレビモニタを接続して画像や音声を出力するようにすることも可能である。また、リモコンでシステム全体をコントロールすることも可能である。
【００３１】
この情報記録システム１の各モードでの動作を説明する。
【００３２】
モード１：デジタルカメラ５のデータを保管用として記録メディア７に保存
デジタルカメラ５で撮影した画像を自分自身が使用するための保管用ディスクの記録メディア７に保存するモードである。
【００３３】
ストレージ２にドッキングされているクレードル４に、撮影したデータがあるデジタルカメラ５をセットすると、ストレージ２とデジタルカメラ５は自動的に起動し、図３に示す選択画面１００をデジタルカメラ５の液晶モニタ３１に表示する。この選択画面１００からデジタルカメラ５のカメラ操作スイッチ２９を操作して「保存」ボタン１０１を選択し保存するモードを選択するか、一定時間内に「終了」ボタン１０２を選択しなかった場合、自動的に保管用保存モードになり、デジタルカメラ５のメモリカード３２あるいはＲＡＭ２６内のデータのうち、未保存のデータのみを判別してデジタルカメラ５とストレージ２を接続しているＵＳＢ（ＵＳＢデバイスコントローラ３０及びＵＳＢホストコントローラ５３）でやりとりし、ストレージ２内の記録メディア７に記録する。
【００３４】
選択画面１００からの選択によっては、例えば「保存→予約プリント」ボタン１０３を選択することで保存後にプリント予約済みの画像をプリントしたり、「保存→選択プリント」ボタン１０４を選択することで保存後にプリントしたい画像を手動で選んでプリントすることも可能である。
【００３５】
また、ストレージ２にセットされている記録メディア７が未フォーマットの場合は、フォーマットを実行するかどうかの選択面面（図示せず）が出て、フォーマット後に保存モードの選択画面１００となる。
【００３６】
この保管用として記録メディア７に保存するモードでは、一連の処理が終了した後でも記録メディア７は追記あるいは書換えができる形式のままであり、次に撮影を行ったあとでデジタルカメラ５をストレージ２にドッキングすると、上記のシーケンスを繰り返すことができる。
【００３７】
このモードでは、記録メディア７に対して記録を繰り返すので記録メディア７の種類によって以下の（対応１及び２）を行なうことが効果的である。
【００３８】
（対応１）
記録メディア７が追記型のディスク（ＣＤ−Ｒ，ＤＶＤ−Ｒ，ＤＶＤ＋Ｒなど）の場合では、パワー調整エリアを使い切ると追記が出来なくなるので、追記が出来なくなってもデータの読み出しのみ可能なように、ディスクの書き込み／読み出し方式を設定する。
【００３９】
（対応２）
記録メディア７が書換え可能なディスクのうちＲＷディスク（ＣＤ−ＲＷ，ＤＶＤ−ＲＷ，ＤＶＤ＋ＲＷなど）の場合、ディスクの記録膜の書換え寿命が約１０００回といわれている。少しずつデータを保存した場合、管理領域など頻繁に書換えを行なうエリアは、書換え回数が１０００回を越えることも考えられる。このため、このモードでＲＷ系ディスクヘの書き込み時のレーザーパワーの制御を書換え寿命優先のライトストラテジで行なうことで通常よりも書換え寿命を延ばすことが可能となる。このように保管用として保存する際は、書換え寿命重視のレーザーパワー制御とし、それ以外の場合は他のドライブとの互換性重視のレーザーパワー制御とするのが有効である。
【００４０】
モード２：デジタルカメラ５のデータを配布用として記録メディア７にコピー
デジタルカメラ５内のメモリカード３２あるいはＲＡＭ２６にある画像を他者に配布するために記録メディア７にコピーするモードである。図４にフローチャートを示す。
【００４１】
まず、デジタルカメラ５をストレージ２にドッキングしていない状態で、デジタルカメラ５の液晶モニタ３１に表示される、図５に示すようなメニュー画面１５０より、デジタルカメラ５にて「配布用ディスク作成」ボタン１５１を選択し、「スタート」ボタン１５２を操作する。
【００４２】
すると、デジタルカメラ５がモード２に設定され、デジタルカメラ５の液晶モニタ３１にその後の操作のガイド画面（図示せず）が表示される（ステップＳ１）。そのガイド画面にしたがって、ストレージ２に未フォーマットの記録メディア７をセットし、その状態でデジタルカメラ５をストレージ２にドッキングすると（ステップＳ２）、自動的に、記録メディア７のエラーチェック（ステップＳ３〜Ｓ１３）、記録メディア７のフォーマット（ステップＳ１４）、デジタルカメラ５内のすべてのデータの記録メディア７ヘのコピー（ステップＳ１５）、ＲＯＭ互換処理（ステップＳ１６）の作業を行う。
【００４３】
ＲＯＭ互換処理は、ＩＳＯ９６６０互換（ＵＤＦ  Ｂｒｉｄｇｅ）あるいはＵＤＦ１．０２互換の形式が、汎用性が高く他者に配布するために適当と考えられるが、用途によってはこれに限らない。
【００４４】
上記の実施例ではデジタルカメラ５内のデータをすべて記録メディア７にコピーする場合を示したが、
（１）特定のフォルダ内のデータのみを記録メディア７に保存する
（２）デジタルカメラ５のユーザインターフェースでコピーしたいデータを選択して記録メディア７にコピーする
（３）上記（１）で作成した保管用の記録メディア７に内のデータから配布したいものを選択して一旦デジタルカメラ５にコピーし、最終的に選択したデータを記録メディア７ヘコピーする
といった方法にしても良い。
【００４５】
もちろん、フォーマットやＲＯＭ互換処理のシーケンスを自動で連続的に行なうのではなく、その都度手動で選択するようにしても良い。ただし、スタンドアローンで動作する機器の場合、ＰＣ等と比較して大きなメモリを持つことが出来ない場合が多いため、ＰＣ用ライティングソフトと互換性のある方法でＲＯＭ互換処理することは困難な場合がある。これを解決する手段として、配布用としての記録メディア７を作成する場合は、ＰＣ上のライティングソフトウェアとは互換性がないが使用するメモリ容量が非常に小さくて済むオリジナルのフォーマット、およびＲＯＭ互換処理の方法を採用することにより、装置に搭載するメモリを必要最小限とする方法が考えられる。この方法の場合、自動でフォーマットからＲＯＭ互換処理まで行なうようになっていれば、途中状態で記録メディア７を取り出すことが無いので、ＰＣ用ライティングソフトウェアとの互換性に配慮する必要はない。
【００４６】
なお、本実施例ではデジタルカメラ５をストレージ２にドッキングする前に、デジタルカメラ５にてモード２を選択する方法について説明したが、図６に示すように、ドッキング後の選択面面１００で保存モードやディスクからの再生を選択するようにしても良い。
【００４７】
モード３：モード１、２で作成した記録メディア７の再生・編集
前記モード１あるいはモード２で作成したディスクをセットしたストレージ２にデジタルカメラ５を接続した状態で、デジタルカメラ５あるいはストレージ２を操作して、記録メディア７内の画像データ、メタデータ等をデジタルカメラ５の液晶モニタ３１に表示させたり、音声をスピーカ１６０（図１参照）から出力させたりできる。
【００４８】
前記モード１で作成した記録メディア７は、ＲＯＭ互換処理されていないので追記・書換えが可能である。このシステム上でも、例えば画像データの場合は、回転、削除、プロテクトの設定／解除が可能である。また、画像編集や画像の合成の機能を搭載すれば、それも可能である。
【００４９】
モード４：ＰＣから外付けドライブとして使用
ストレージ２は切り替えスイッチ５５を切り替えることによって、ＰＣコネクタ５６を介して図示しないＰＣに接続してＰＣの外付けドライブとして使用することが可能である。具体的には、図２に示したように切替スイッチ５５によってストレージ制御用システムコントローラ５０はスタンドアローンのシステムとなるか、ＰＣの外付けドライブとなるかを切替えられる。
【００５０】
ＰＣの外付けドライブモードとなった場合は、ＵＳＢデバイスコントローラ５４を介してＰＣコネクタ５６でＰＣとＵＳＢ接続することができる。この場合、ＰＣから新規にフォーマットしたディスクヘの読み書きができるほか、上記モード１で作成したディスクと互換性のあるＰＣアプリケーションを使用すれば、上記モード１で作成したディスクにＰＣから追記・編集することが可能である。
【００５１】
なお、記録型ＤＶＤ／ＣＤドライブは一般的に複数種類のディスクに対応しており、多いものではＣＤ−Ｒ，ＣＤ−ＲＷ、ＤＶＤ−Ｒ，ＤＶＤ−ＲＷ，ＤＶＤ＋Ｒ、ＤＶＤ＋ＲＷ、ＤＶＤ−ＲＡＭに対応しており、さらにその中にもディスクの記録層の数が複数あるディスクが存在する。また、ＢＩｕ−ｒａｙやＨＤ  ＤＶＤなどの新しい種類のディスクも登場してきている。これらのすべてのディスクにすべてのモードで対応するのは、技術的にも時間的にも負荷が大きいため、用途によって使用できるディスクの制限を変更することが有効である。特に、前記モード２の「配布用ディスク作成」の場合は、（１）書換えができる必要が無い、（２）長期間保管する必要が無い、と言う点から、入手性がよく、安価で書換えができないＣＤ−Ｒだけ、あるいはＣＤ−ＲとＤＶＤ−Ｒなどに使用できるディスクを制限することが効果的であると考えられる。
【００５２】
また、上記の実施例はすべて、デジタルカメラ５をストレージ２にクレードル４を介してドッキングする構成の場合で説明を行なったが、ストレージ２とデジタルカメラ５の接続方法は、クレードル４を介さず直接接続しても良いし、クレードル４の代わりにケーブルを介する形でも構わない。また、デジタルカメラ５内からメモリカード３２だけを取り出して、ストレージ２にドッキングする形でも構わない。この場合は、ストレージ側のユーザインターフェイス（ＵＩ）を使って操作するか、図示しないアダプタを介してアダプタのユーザインターフェイス（ＵＩ）を使用する方法が考えられる。
【００５３】
また、以上の実施例は、デジタルカメラだけでなく他の携帯型情報記録装置、例えば携帯電話やＰＤＡであっても同様である。
【００５４】
なお、画像情報を記録したディスクをＰＣ用の画像管理アプリケーションで扱う場合、起動するたぴにディスク内の情報をサーチする必要がある。一度ディスク内の情報をサーチすれば、その情報をデータベース化してディスクに書き込むことによって、２回目からのディスク内の画像情報の取り込みが高速化される。
【００５５】
特にＤＶＤ／ＣＤ系の光ディスクは、ハードウェア的にシーク速度が遅いため、ディスク内情報のデータベース化は非常に効果がある。小型化のために高さ１／２インチ以下の薄型のＤＶＤ／ＣＤドライブを使用している場合は、シークが遅いだけでなくディスクの回転数もあまりあげられないので、情報へのアクセスを効率的に行うためのデータベースはさらに有効である。
【００５６】
しかし、「配布用ディスク作成」でＲＯＭ互換処理したディスクの場合は書き込みが出来なくなっているので、ＰＣ用の画像管理アプリケーションを起動した時にサーチしてデータベースを書き込むことが出来ない。
【００５７】
これを解決するために、「配布用ディスク作成」モードでは、データのコピー時に自動的にデータベースの作成とディスクヘの書き込みを行ない、その後ＲＯＭ互換処理するシーケンスとする。
【００５８】
データベースファイルは、ｔｘｔ形式またはｘｍｌ形式などで記述し、画像ファイルの管理ナンバー、ディスク上のパス、ファイル名、ファイルの種類・サイズ・属性、などを記録する。
【００５９】
もちろん、保管用のデータ保存の場合も、このデータベースがあるとＰＣからの１回目のアクセスから高速化することができるという点では有効である。
【００６０】
また、ＣＤ−ＲＯＭ、ＤＶＤ−ＲＯＭを製作する場合も、使用する画像ソフトが決っている場合は、最初からこのようなデータベースを搭載しておくと効果的である。
【００６１】
携帯型情報入力装置から記録型ＣＤ／ＤＶＤなどの可換媒体にデータを保存する際に、その媒体の用途が保管用か、配布用かによって記録モードを選択することができ、それによって保存するデータや保存するフォーマットを自動的に切替えて、用途に応じて最適な内容の媒体を作成することができる。
【実施例２】
【００６２】
図７は本発明の実施例２に係るデジタルカメラの液晶モニタに表示される選択画面を示す図である。
【００６３】
実施例２は、実施例１とほとんど同じであるので、異なる点のみ説明し、同一の構成には同じ符号をつけ説明は省略する。
【００６４】
実施例２では、図７に示す選択画面１００のように、配布用ディスク作成のモードが２つある。「配布用ディスク作成１」ボタン２００を選択した場合は、本実施例の場合と同じく、デジタルカメラ内のデータをそのままの形式でコピーする。「配布用ディスク作成２」ボタン２０１を選択した場合は、デジタルカメラ内のデータをそのままの形式でコピーすると同時に、コピーする画像データをＭＰＥＧ２に変換してＤＶＤ  Ｖｉｄｅｏ形式でも書き込む。
【００６５】
よって、「配布用ディスク作成２」ボタン２０１で作成したディスクは、ＰＣのＤＶＤドライブでデータを読めるだけでなく、ＤＶＤ  Ｖｉｄｅｏ再生用のＤＶＤプレーヤまたはＤＶＤレコーダで読み取りができ、プロジェクタやテレビで再生することができる。
【００６６】
この実施例２の変形として、以下のような機能を持たせることもできる。
【００６７】
機能１）
ＤＶＤ  Ｖｉｄｅｏ以外のフォーマットで書き込む（たとえば、Ｖｉｄｅｏ  ＣＤ形式、ＨＤ  ＤＶＤ形式、Ｂｌｕ−ｒａｙ形式など）、
機能２）
一定時間で画像が切り替わるスライドショーを行なうことができるような形式で書き込む、
機能３）
スライドショーに音楽をつけて書き込む、
機能４）
画像が組み合わさったり、特殊効果を伴ったりや音楽に合わせて再生されるなどのいわゆるリミックス再生ができるように書き込む。
【００６８】
以上、各実施例にて説明したように、本発明の情報記録システム１は、携帯型情報入力機器のデータを記録型ＣＤ、記録型ＤＶＤなどの可換媒体に保存できるシステムであり、保存時にユーザが、通常の保管のための保存と配布用媒体の作成を選択できるようにする。通常の保管用のための保存ではデータ保存後、追記可能な形式のまま終了しＲＯＭ互換処理は行なわない。配布用媒体作成の場合は、データ保存後に自動的にＲＯＭ互換処理を行い他の一般的なパーソナルコンピュータなどで読み込むことができる形式に変換してから処理を終了する。
【００６９】
また、携帯型情報入力機器のデータを記録型ＣＤ、記録型ＤＶＤなどの可換媒体に保存でき、保管のための保存の場合は可換媒体に保存されていない新規データのみを保存する。一方、配布用媒体の作成のための保存の場合は、携帯型情報入力機器のデータを毎回すべて保存するか、あるいは選択されたデータを保存する。
【００７０】
さらに、画像撮影用携帯型機器のデータを記録型ＣＤ、記録型ＤＶＤなどの可換媒体にデータを保存でき、保存時にユーザが、画像データをそのままの形式で保存するか、ＤＶＤ−Ｖｉｄｅｏ形式に変換して保存するか、あるいは両方で保存するかを選択できるようにする。選択内容に従って、自動的に可換媒体にデータを保存する。
【００７１】
また、携帯型機器のデータを記録型ＣＤ、記録型ＤＶＤなどの可換媒体にデータを保存でき、可換媒体にデータを保存する際にディスク内のデータに関するデータベースを作成して、ディスクに書き込む。これによってパーソナルコンピュータ等で使用した場合、検索性が向上し、使い勝手が改善される。
【００７２】
本発明は、上述した実施例に限定されるものではなく、本発明の要旨を変えない範囲において、種々の変更、改変等が可能である。
【図面の簡単な説明】
【００７３】
【図１】本発明の実施例１に係る情報記録システムの外観を示す外観図
【図２】図１の情報記録システムの構成を示すブロック図
【図３】図２のデジタルカメラの液晶モニタに表示される選択画面の一例を示す図
【図４】配布用の記録メディアを作成する際の図２のカメラ制御用システムコントローラの処理の流れを示すフローチャート
【図５】配布用の記録メディアを作成する際に図２のデジタルカメラの液晶モニタに表示されるメニュー画面の一例を示す図
【図６】図２のデジタルカメラの液晶モニタに表示される選択画面の第１の変形例を示す図
【図７】本発明の実施例２に係るデジタルカメラの液晶モニタに表示される選択画面を示す図
【符号の説明】
【００７４】
１…情報記録システム
２…ストレージ
４…クレードル
５…デジタルカメラ
６…メディアドライブ
７…記録メディア
２１…対物レンズ
２２…ＣＣＤ
２３…ＣＣＤ  Ｉ／Ｆ
２４…カメラ制御用システムコントローラ
２５、５１…ＲＯＭ
２６、５２…ＲＡＭ
２７…メモリカードスロット
２８…液晶モニタ駆動回路
２９…カメラ操作スイッチ
３０、５４…ＵＳＢデバイスコントローラ
３１…液晶モニタ
３２…メモリカード
３５…コネクタ
４３…装填部駆動モータ
４４…スピンドルモータ
４５…光学ヘッド
４６…リニアモータ
４７…モータ駆動回路
４８…記録／再生回路
４９…信号処理回路４
５０…ストレージ制御用システムコントローラ
５３…ＵＳＢホストコントローラ
５５…切替スイッチ
５６…ＰＣコネクタ
【図１】
2007116466.tif 000003
【図２】
2007116466.tif 000004
【図３】
2007116466.tif 000005
【図４】
2007116466.tif 000006
【図５】
2007116466.tif 000007
【図６】
2007116466.tif 000008
【図７】
2007116466.tif 000009